(57)【要約】【課題】容易に開封でき、その状態から容易に再封緘できる包装箱を提供する。【解決手段】外蓋フラップ７をその蓋切線８より先端側で内蓋フラップ６に貼り合わせて封緘する包装箱において、外蓋フラップ７の蓋切線８を、両側から中央部へ向けて先端側へ傾斜させ、その中央部を膨出させて押込片９を形成し、蓋切線８より基端側に押込片９に対して凹状となった補助罫線１０を入れ、内蓋フラップ６の先端中央部に割切線１１を入れて、押込片９が通過可能な戻止片１２を設け、内蓋フラップ６の先端両側部に、外蓋フラップ７の両側部を支持する支持片１３を設け、押込片９を押し込むだけで、蓋切線８が切断されて開封され、また、押込片９を戻止片１２の下方まで押し込むだけで、内蓋フラップ６と外蓋フラップ７とが係合して、再封緘されるようにする。【選択図】図６
2006137464.tif 000002
【特許請求の範囲】
【請求項１】
対向する側板の上縁から内蓋フラップ及び外蓋フラップを、端板の上縁から端フラップをそれぞれ延出し、外蓋フラップに蓋切線を設け、端フラップを内側へ折り曲げ、蓋切線より先端側で外蓋フラップを内蓋フラップに貼り合わせて封緘し、外蓋フラップを蓋切線に沿って切断すると開封され、内蓋フラップと外蓋フラップとを係合させると再封緘できるようにした包装箱において、外蓋フラップの蓋切線を、両側から中央部へ向けて先端側へ傾斜させ、その中央部を膨出させて押込片を形成し、蓋切線より基端側に押込片に対して凹状となった補助罫線を入れ、内蓋フラップの先端中央部に割切線を入れて、押込片が通過可能な戻止片を設け、内蓋フラップの先端両側部に、外蓋フラップの両側部を支持する支持片を設けたことを特徴とする再封緘機能付包装箱。
【発明の詳細な説明】
【技術分野】
【０００１】
この発明は、菓子箱等に使用され、開封後に再封緘可能な包装箱に関するものである。
【背景技術】
【０００２】
従来、菓子等の包装箱として、図７に示すように、対向する側板５１の上縁から内蓋フラップ５３及び外蓋フラップ５４を、端板５２の上縁から端フラップ５５をそれぞれ延出し、外蓋フラップ５４に、鉤形の切目が断続する２本の平行な蓋切線５７に挟まれた横方向の引裂帯５６を設け、端フラップ５５を内側へ折り曲げ、引裂帯５６より先端側で外蓋フラップ５４を内蓋フラップ５３に貼り合わせて封緘するものが使用されている。
【０００３】
この包装箱は、引裂帯５６を一端から引き裂いて、外蓋フラップ５４を切断すると、図８に示すように、上端面が開封されて開口し、その後、内蓋フラップ５３の先端に設けた差込片５８を、外蓋フラップ５４に形成したスリット状の差込穴５９に差し込むと、再封緘することができる。
【発明の開示】
【発明が解決しようとする課題】
【０００４】
しかしながら、上記のような包装箱では、開封に際し、引裂帯５６を箱の全幅に亘って一気に引き裂かなければならず、幼児や高齢者には開封が難しいという問題がある。
【０００５】
また、再封緘に際し、内蓋フラップ５３を丸めるように撓ませつつ、差込片５８を浅い角度で差込穴５９に差し込まなければならず、再封緘しづらいという問題もある。
【０００６】
そこで、この発明は、容易に開封でき、その状態から容易に再封緘できる包装箱を提供することを課題とする。
【課題を解決するための手段】
【０００７】
上記課題を解決するため、この発明は、外蓋フラップをその蓋切線より先端側で内蓋フラップに貼り合わせて封緘する包装箱において、外蓋フラップの蓋切線を、両側から中央部へ向けて先端側へ傾斜させ、その中央部を膨出させて押込片を形成し、蓋切線より基端側に押込片に対して凹状となった補助罫線を入れ、内蓋フラップの先端中央部に割切線を入れて、押込片が通過可能な戻止片を設け、内蓋フラップの先端両側部に、外蓋フラップの両側部を支持する支持片を設け、押込片を押し込むだけで、蓋切線が切断されて開封され、また、押込片を戻止片の下方まで押し込むだけで、内蓋フラップと外蓋フラップとが係合して、再封緘されるようにしたのである。
【発明の効果】
【０００８】
上記のように、この発明に係る包装箱は、押込片を押し込むだけで開封され、また、押込片を押し込むだけで再封緘されるので、開封及び再封緘が極めて容易であり、幼児や高齢者等を問わず、誰にでも使いやすいものとなる。
【発明を実施するための最良の形態】
【０００９】
以下、この発明の実施形態を添付図面に基づいて説明する。
【００１０】
この包装箱は、図１に示すような板紙製ブランクから形成される。このブランクでは、各一対の側板１及び端板２が交互に連設され、一方の側板１の外端には継代片３が連設されている。各端板２の上下端には端フラップ４が、各側板１の下端には底フラップ５がそれぞれ連設され、一方の側板１の上端には内蓋フラップ６が、他方の側板１の上端には外蓋フラップ７がそれぞれ連設されている。
【００１１】
外蓋フラップ７には、断続する切目を入れて、両側から中央部へ向けてハ字状に先端側へ傾斜した蓋切線８が入れられ、蓋切線８の中央部には、弧状に膨出した切目により押込片９が形成されている。また、蓋切線８より基端側には、押込片９に対して凹状となった部分と、中央の縦部分とから成る補助罫線１０が入れられている。
【００１２】
内蓋フラップ６の先端形状は、蓋切線８に対応してＶ字状に切り欠かれており、その中央部には、縦部分とその奥に連続する弧状部分とから成る割切線１１を入れて、外蓋フラップ７の押込片９が通過可能な戻止片１２が設けられている。また、内蓋フラップ６の先端両側部には、外蓋フラップ７の両側部を支持する支持片１３が設けられている。
【００１３】
上記ブランクを組み立てて菓子等の商品を包装するには、図２に示すように、各一対の側板１及び端板２を角筒状に折り曲げ、継代片３を反対側の端板２の内面に貼着して周壁を形成し、下方の端フラップ４を内側へ折り曲げ、底フラップ５同士を貼り合わせて底面を閉止する。その後、箱内に商品を収納し、上方の端フラップ４を内側へ折り曲げ、蓋切線８の先端側で外蓋フラップ７を内蓋フラップ６に貼り合わせて封緘する。
【００１４】
この包装過程においては、端フラップ４、内蓋フラップ６及び外蓋フラップ７の重なり合う関係が従来の包装箱と同様であるため、包装箱の使用者が保有する既存の包装ラインを改造することなく、そのまま利用することができる。
【００１５】
そして、このように封緘した包装箱を開封する際には、図３に示すように、押込片９を押し込むと、外蓋フラップ７が補助罫線１０沿いに窪むように撓んで、蓋切線８が切断され、図４に示すように、内蓋フラップ６及び外蓋フラップ７を開くことができる。このとき、外蓋フラップ７の先端側部分が内蓋フラップ６に貼り付けられたまま残存する。
【００１６】
一方、上記のように開封した包装箱を再封緘する際には、図５に示すように、内蓋フラップ６及び外蓋フラップ７を閉じ、押込片９を深く押し下げると、外蓋フラップ７が補助罫線１０に沿って窪むように撓みつつ、戻止片１２が開いて、押込片９が割切線１１を介し戻止片１２の下方まで押し込まれる。
【００１７】
そして、押込片９を離すと、図６に示すように、外蓋フラップ７の撓みが復元し、戻止片１２が閉じて、押込片９が戻止片１２に押さえられると共に、外蓋フラップ７の両側部が内蓋フラップ６の支持片１３で支持されて、内蓋フラップ６と外蓋フラップ７とが係合した状態となり、再封緘状態が維持される。
【００１８】
このように、上記包装箱は、押込片９を押し込むだけで、蓋切線８が切断されて開封され、また、押込片９を戻止片１２の下方まで押し込むだけで、内蓋フラップ６と外蓋フラップ７とが係合して、再封緘されるので、開封及び再封緘が極めて容易であり、幼児や高齢者等を問わず、誰にでも使いやすいものとなる。
【図面の簡単な説明】
【００１９】
【図１】この発明に係る再封緘機能付包装箱のブランクを示す図
【図２】同上の包装箱の封緘状態を示す斜視図
【図３】同上の開封過程を示す斜視図
【図４】同上の開封状態を示す斜視図
【図５】同上の再封緘過程を示す斜視図
【図６】同上の再封緘状態を示す斜視図
【図７】従来の再封緘機能付包装箱の封緘状態を示す斜視図
【図８】同上の開封状態を示す斜視図
【符号の説明】
【００２０】
１  側板
２  端板
３  継代片
４  端フラップ
５  底フラップ
６  内蓋フラップ
７  外蓋フラップ
８  蓋切線
９  押込片
１０  補助罫線
１１  割切線
１２  戻止片
１３  支持片
【図１】
2006137464.tif 000003
【図２】
2006137464.tif 000004
【図３】
2006137464.tif 000005
【図４】
2006137464.tif 000006
【図５】
2006137464.tif 000007
【図６】
2006137464.tif 000008
【図７】
2006137464.tif 000009
【図８】
2006137464.tif 000010